(57)【要約】【課題】  基地局（ｅＮＢ）との同期切断に不要な時間をかけてしまうことを回避することができる無線通信端末装置を提供する。【解決手段】  無線通信端末装置［移動局（ＵＥ）１］は、サービングセルのＲＳ（Ｒｅｆｅｒｅｎｃｅ  Ｓｉｇｎａｌ）の品質から基地局との同期状態を監視する。無線通信端末装置［移動局（ＵＥ）１］は、ＲＳの電力推定及びＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル数を通知する信号のＢＥＲを閾値比較して同期状態の判定を行う判定手段（同期状態判定部１６）を有する。【選択図】      図１
2013243625.tif 000002
【特許請求の範囲】
【請求項１】
サービングセルのＲＳ（Ｒｅｆｅｒｅｎｃｅ  Ｓｉｇｎａｌ）の品質から基地局との同期状態を監視する無線通信端末装置であって、
前記ＲＳの電力推定及びＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル数を通知する信号のＢＥＲ（Ｂｉｔ  Ｅｒｒｏｒ  Ｒａｔｅ）を閾値比較して前記同期状態の判定を行う判定手段を有することを特徴とする無線通信端末装置。
【請求項２】
前記判定手段は、前記ＯＦＤＭシンボル数を通知する信号のＢＥＲの判定閾値について、前記基地局からの制御情報のＣＲＣ（Ｃｙｃｌｉｃ  Ｒｅｄｕｎｄａｎｃｙ  Ｃｈｅｃｋ）結果を用いて前記ＯＦＤＭシンボル数を通知する信号のＢＥＲの判定閾値を補正することを特徴とする請求項１記載の無線通信端末装置。
【請求項３】
前記判定手段は、前記ＢＥＲの判定閾値の補正時について、前記制御情報が前記ＣＲＣの結果がＯＫの場合に、前記制御情報のａｇｇｒｅｇａｔｉｏｎ  ｌｅｖｅｌを考慮に入れて前記ＢＥＲの判定閾値の補正を調節することを特徴とする請求項２記載の無線通信端末装置。
【請求項４】
上記の請求項１から請求項３のいずれかに記載の無線通信端末装置を含むことを特徴とする無線通信システム。
【請求項５】
サービングセルのＲＳ（Ｒｅｆｅｒｅｎｃｅ  Ｓｉｇｎａｌ）の品質から基地局との同期状態を監視する無線通信端末装置に用いる同期判定方法であって、
前記無線通信端末装置が、前記ＲＳの電力推定及びＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル数を通知する信号のＢＥＲ（Ｂｉｔ  Ｅｒｒｏｒ  Ｒａｔｅ）を閾値比較して前記同期状態の判定を行う判定処理を実行することを特徴とする同期判定方法。
【請求項６】
前記無線通信端末装置が、前記判定処理において、前記ＯＦＤＭシンボル数を通知する信号のＢＥＲの判定閾値について、前記基地局からの制御情報のＣＲＣ（Ｃｙｃｌｉｃ  Ｒｅｄｕｎｄａｎｃｙ  Ｃｈｅｃｋ）結果を用いて前記ＯＦＤＭシンボル数を通知する信号のＢＥＲの判定閾値を補正することを特徴とする請求項５記載の同期判定方法。
【請求項７】
前記無線通信端末装置が、前記判定処理において、前記ＢＥＲの判定閾値の補正時について、前記制御情報が前記ＣＲＣの結果がＯＫの場合に、前記制御情報のａｇｇｒｅｇａｔｉｏｎ  ｌｅｖｅｌを考慮に入れて前記ＢＥＲの判定閾値の補正を調節することを特徴とする請求項６記載の同期判定方法。
【請求項８】
サービングセルのＲＳ（Ｒｅｆｅｒｅｎｃｅ  Ｓｉｇｎａｌ）の品質から基地局との同期状態を監視する無線通信端末装置内の中央処理装置に実行させるプログラムであって、
前記ＲＳの電力推定及びＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル数を通知する信号のＢＥＲ（Ｂｉｔ  Ｅｒｒｏｒ  Ｒａｔｅ）を閾値比較して前記同期状態の判定を行う判定処理を含むことを特徴とするプログラム。
【発明の詳細な説明】
【技術分野】
【０００１】
本発明は無線通信端末装置、無線通信システム及びそれらに用いる同期判定方法並びにそのプログラムに関し、特にＬＴＥ（Ｌｏｎｇ  Ｔｅｒｍ  Ｅｖｏｌｕｔｉｏｎ）通信時の移動局（ＵＥ；Ｕｓｅｒ  Ｅｑｕｉｐｍｅｎｔ）における同期状態の監視に関する。
【背景技術】
【０００２】
ＬＴＥ通信時において、移動局（ＵＥ）は、サービングセルのＲＳ（Ｒｅｆｅｒｅｎｃｅ  Ｓｉｇｎａｌ）の品質から基地局［ｅＮＢ；Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）  ＮｏｄｅＢ］との同期状態を監視することが３ＧＰＰ（３ｒｄ  Ｇｅｎｅｒａｔｉｏｎ  Ｐａｒｔｎｅｒｓｈｉｐ  Ｐｒｏｊｅｃｔ）にて定められている（例えば、非特許文献１，２参照）。
【０００３】
移動局（ＵＥ）は、この同期状態を監視し、品質が悪い場合に、基地局からの制御情報（ＰＤＣＣＨ；Ｐｈｙｓｉｃａｌ  Ｄｏｗｎｌｉｎｋ  Ｃｏｎｔｒｏｌ  ＣＨａｎｎｅｌ）の受信が困難であると判断して、同期が取れていない状態（以下、非同期状態とする）（ｏｕｔ−ｏｆ−ｓｙｎｃ）の判定を行う。
【先行技術文献】
【非特許文献】
【０００４】
【非特許文献１】“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｒｅｑｕｉｒｅｍｅｎｔｓ  ｆｏｒ  ｓｕｐｐｏｒｔ  ｏｆ  ｒａｄｉｏ  ｒｅｓｏｕｒｃｅ  ｍａｎａｇｅｍｅｎｔ”［３ＧＰＰ  ＴＳ  ３６．１３３  Ｖ１１．０．０（２０１２−０３）］
【非特許文献２】“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｌａｙｅｒ  ｐｒｏｃｅｄｕｒｅｓ”［３ＧＰＰ  ＴＳ  ３６．２１３  Ｖ１０．５．０（２０１２−０３）］
【発明の概要】
【発明が解決しようとする課題】
【０００５】
上述した同期状態の判定方法では、同期判定の判断手段として、ＲＳの信号電力または信号電力と雑音電力の比等を用いて品質を推定して判断することが一般的と考えられる。
【０００６】
しかしながら、このＲＳの品質推定のみでは、複雑な伝播路環境すべてを考慮した品質推定を行うことは難しく、制御情報（ＰＤＣＣＨ）を受信できる環境にも関わらず、非同期状態（ｏｕｔ−ｏｆ−ｓｙｎｃ）の判定をしてしまう場合や、逆に制御情報が受信できない環境にも関わらず、逆に制御情報（ＰＤＣＣＨ）が受信できない環境にも関わらず、同期が取れている状態（以下、同期状態とする）（ｉｎ−ｓｙｎｃ）の判定をしてしまう場合が懸念される。
【０００７】
そこで、本発明の目的は上記の問題点を解消し、基地局（ｅＮＢ）との同期切断に不要な時間をかけてしまうことを回避することができる無線通信端末装置、無線通信システム及びそれらに用いる同期判定方法並びにそのプログラムを提供することにある。
【課題を解決するための手段】
【０００８】
本発明による無線通信端末装置は、サービングセルのＲＳ（Ｒｅｆｅｒｅｎｃｅ  Ｓｉｇｎａｌ）の品質から基地局との同期状態を監視する無線通信端末装置であって、
前記ＲＳの電力推定及びＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル数を通知する信号のＢＥＲ（Ｂｉｔ  Ｅｒｒｏｒ  Ｒａｔｅ）を閾値比較して前記同期状態の判定を行う判定手段を備えている。
【０００９】
本発明による無線通信システムは、上記の無線通信端末装置を含むことを特徴とする。
【００１０】
本発明による同期判定方法は、サービングセルのＲＳ（Ｒｅｆｅｒｅｎｃｅ  Ｓｉｇｎａｌ）の品質から基地局との同期状態を監視する無線通信端末装置に用いる同期判定方法であって、
前記無線通信端末装置が、前記ＲＳの電力推定及びＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル数を通知する信号のＢＥＲ（Ｂｉｔ  Ｅｒｒｏｒ  Ｒａｔｅ）を閾値比較して前記同期状態の判定を行う判定処理を実行している。
【００１１】
本発明によるプログラムは、  サービングセルのＲＳ（Ｒｅｆｅｒｅｎｃｅ  Ｓｉｇｎａｌ）の品質から基地局との同期状態を監視する無線通信端末装置内の中央処理装置に実行させるプログラムであって、
前記ＲＳの電力推定及びＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル数を通知する信号のＢＥＲ（Ｂｉｔ  Ｅｒｒｏｒ  Ｒａｔｅ）を閾値比較して前記同期状態の判定を行う判定処理を含むことを特徴とする。
【発明の効果】
【００１２】
本発明は、上記のような構成及び動作とすることで、基地局（ｅＮＢ）との同期切断に不要な時間をかけてしまうことを回避することができるという効果が得られる。
【図面の簡単な説明】
【００１３】
【図１】本発明の実施の形態による移動局（ＵＥ）の構成例を示すブロック図である。
【図２】図１に示す同期状態判定部１６による判定処理を示すフローチャートである。
【図３】図１に示す同期状態判定部にて同期状態を判定する閾値を更新する処理を示すフローチャートである。
【発明を実施するための形態】
【００１４】
次に、本発明の実施の形態について図面を参照して説明する。まず、本発明による同期判定方法の概要について説明する。
【００１５】
本発明による同期判定方法では、ＬＴＥ（Ｌｏｎｇ  Ｔｅｒｍ  Ｅｖｏｌｕｔｉｏｎ）通信時の移動局（ＵＥ；Ｕｓｅｒ  Ｅｑｕｉｐｍｅｎｔ）が行う同期判定処理について、ＲＳ（Ｒｅｆｅｒｅｎｃｅ  Ｓｉｇｎａｌ）の電力推定等を用いた同期判定で保証しきれない環境を、基地局からの制御情報（ＰＤＣＣＨ；Ｐｈｙｓｉｃａｌ  Ｄｏｗｎｌｉｎｋ  Ｃｏｎｔｒｏｌ  ＣＨａｎｎｅｌ）のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル数を通知する信号（ＰＣＦＩＣＨ；Ｐｈｙｓｉｃａｌ  Ｃｏｎｔｒｏｌ  Ｆｏｒｍａｔ  Ｉｎｄｉｃａｔｏｒ  ＣＨａｎｎｅｌ）や制御情報のＣＲＣ（Ｃｙｃｌｉｃ  Ｒｅｄｕｎｄａｎｃｙ  Ｃｈｅｃｋ）結果を組み合わせることで同期判定の精度を向上させている。
【００１６】
図１は本発明の実施の形態による移動局（ＵＥ）の構成例を示すブロック図である。図１において、移動局（ＵＥ）１は、復調部１１と、推定部１２と、ＰＣＦＩＣＨ復号部１３と、ＰＤＣＣＨ復号部１４と、ＰＤＳＣＨ（Ｐｈｙｓｉｃａｌ  Ｄｏｗｎｌｉｎｋ  Ｓｈａｒｅｄ  ＣＨａｎｎｅｌ）復号部１５と、同期状態判定部１６とを備えている。
【００１７】
復調部１１は、基地局［ｅＮＢ；Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）  ＮｏｄｅＢ］からの下り受信信号に対して、伝播路の環境、受信タイミング推定を行い、下り受信信号に対して復調処理を行う機能（ｄｅｍｏｄｕｌａｔｅ）である。
【００１８】
推定部１２は、その復調データからＲＳを抽出し、その信号の受信電力、雑音電力の推定と、それを基に信号対雑音比等の伝播路環境を推測する機能（ＲＳ  ｓｉｇｎａｌ／ｎｏｓｅ  ｐｏｗｅｒ  ｅｓｔｉｍａｔｉｏｎ）である。
【００１９】
ＰＣＦＩＣＨ復号部１３は、制御情報（ＰＤＣＣＨ）のＯＦＤＭシンボル数を通知する信号（ＰＣＦＩＣＨ）を復号する機能（ＰＣＦＩＣＨ  ｄｅｃｏｄｅ）である。
【００２０】
ＰＤＣＣＨ復号部１４は、ＯＦＤＭシンボル数を基に制御情報（ＰＤＣＣＨ）を復号する機能とそのＣＲＣ結果を通知する機能（ＰＤＣＣＨ  ｄｅｃｏｄｅ）である。
【００２１】
ＰＤＳＣＨ復号部１５は、その制御情報（ＰＤＣＣＨ）の復号結果（ＣＲＣ結果）とａｇｇｒｅｇａｔｉｏｎ  ｌｅｖｅｌ（非特許文献２参照）とを基にユーザーデータ等が通知されるＰＤＳＣＨを復号する機能（ＰＤＳＣＨ  ｄｅｃｏｄｅ）である。
【００２２】
同期状態判定部１６は、受信電力及び雑音電力の推定結果、ＯＦＤＭシンボル数を通知する信号のＢＥＲ（Ｂｉｔ  Ｅｒｒｏｒ  Ｒａｔｅ）、制御情報（ＰＤＣＣＨ）の復号結果から移動局（ＵＥ）１の同期状態を判定する機能（ｓｙｎｃ  ｊｕｄｇｅｍａｎｔ）である。
【００２３】
同期状態判定部１６は、推定部１２の受信信号や雑音信号から移動局（ＵＥ）１の同期状態を判断する他に、ＰＣＦＩＣＨ復号部１３からＯＦＤＭシンボル数を通知する信号（ＰＣＦＩＣＨ）のＢＥＲ結果を入手し、それに対して閾値判定や調整を行い、設定値よりもＢＥＲが悪い状態であればＯＦＤＭシンボル数を通知する信号を受信できない（すなわち、ＰＤＣＣＨが復号できない）状態と判断し、基地局（ｅＮＢ）と同期が取れていない状態（以下、非同期状態とする）（ｏｕｔ−ｏｆ−ｓｙｎc）とする。
【００２４】
ＯＦＤＭシンボル数を通知する信号が受信できない環境では、受信信号がどれほど高い値が示されたとしても制御情報（ＰＤＣＣＨ）を復号することができないため、本実施の形態により受信電力等で、基地局（ｅＮＢ）と同期が取れている状態（以下、同期状態とする）（ｉｎ−ｓｙｎｃ）と判断されているにも関わらず、制御情報（ＰＤＣＣＨ）が受信できない状態を回避することが可能となる。
【００２５】
また、同期状態判定部１６は、上記と同様に、ＰＤＣＣＨ復号部１４から制御情報の復号結果（ＣＲＣ結果）も入手し、ＯＦＤＭシンボル数を通知する信号（ＰＣＦＩＣＨ）のＢＥＲ結果が悪い状態と判断しているにも関わらず、ＣＲＣがＯＫと判断されている場合、逆にＢＥＲ結果が良い状態と判断しているにも関わらず、ＣＲＣがＮＧと判断されている場合にＯＦＤＭシンボル数を通知する信号（ＰＣＦＩＣＨ）のＢＥＲの判定閾値を補正することでより精度を高めることが可能となる。
【００２６】
さらに、同期状態判定部１６は、ＰＤＣＣＨ復号部１４からの制御情報（ＰＤＣＣＨ）の復号結果（ＣＲＣ結果）が良いと判断された場合、不要に閾値制御が入らないように、制御情報（ＰＤＣＣＨ）のａｇｇｒｅｇａｔｉｏｎ  ｌｅｖｅｌで補正判定を行う。
【００２７】
図２は図１に示す同期状態判定部１６による判定処理を示すフローチャートである。これら図１及び図２を参照して同期状態判定部１６の判定処理について説明する。尚、図２に示す処理は、図示せぬＣＰＵ（中央処理装置）がプログラムを実行することでも実現可能である。
【００２８】
同期状態判定部１６は、ｓｕｂｆｒａｍｅ（サブフレーム）周期で推定部１２よりＲＳの信号や雑音電力の情報を入手し（図２ステップＳ１）、ＰＣＦＩＣＨ復号部１３よりＯＦＤＭシンボル数を通知する信号（ＰＣＦＩＣＨ）のＢＥＲ情報を入手する（図２ステップＳ２）。
【００２９】
同期状態判定部１６は、ｓｕｂｆｒａｍｅ周期の情報を指定区間（例えば、１ｆｒａｍｅ）累積し、平均化処理を行い、指定周期達成後に同期判定処理へ移行する（図２ステップＳ３）。
【００３０】
ここで、１ｓｕｂｆｒａｍｅは１ｍｓ、１ｆｒａｍｅは１０ｍｓ（１０ｓｕｂｆｒａｍｅ）として３ＧＰＰ（ＴＳ  ３６．２１１）に定義され、１ｓｕｂｆｒａｍｅ中にＰＤＣＣＨとＰＣＦＩＣＨとが存在する。
【００３１】
まず、同期状態判定部１６は、現在の同期状態（ｉｎ−ｓｙｎｃ）／非同期状態（ｏｕｔ−ｏｆ−ｓｙｎｃ）を確認する（図２ステップＳ４）。同期状態判定部１６は、ＯＦＤＭシンボル数を通知する信号のＢＥＲ情報をＰＣＦＩＣＨ復号部１３より入手し、同期判定閾値（Ｔｈ＿ｃｆｉ）と比較を行う（図２ステップＳ５）（Ｔｈ＿ｃｆｉ、Ｔｈ＿ｑｏｕｔ、Ｔｈ＿ｑｉｎの閾値は調整が必要）。
【００３２】
同期状態判定部１６は、閾値比較の結果、ＢＥＲが悪いと判断された場合、非同期状態（ｏｕｔ−ｏｆ−ｓｙｎｃ）とし（図２ステップＳ６）、同期判定結果を上位レイヤへ通知する［同期判定結果を同期外れ（ｏｕｔ−ｏｆ−ｓｙｎｃ）とする］（図２ステップＳ９）。
【００３３】
逆に、同期状態判定部１６は、閾値比較の結果、ＢＥＲが良いと判断された場合、同期状態（ｉｎ−ｓｙｎｃ）とする（図２ステップＳ６）。同期状態判定部１６は、ＢＥＲの結果が同期状態（ｉｎ−ｓｙｎｃ）の場合、推定部１２より信号電力と雑音電力の平均値と、その信号電力と雑音電力の比の結果を基に同期状態（ｉｎ−ｓｙｎｃ）の閾値（Ｔｈ＿ｑｉｎ）と非同期状態（ｏｕｔ−ｏｆ−ｓｙｎ）の閾値（Ｔｈ＿ｑｏｕｔ）とを比較する（図２ステップＳ７）（Ｔｈ＿ｃｆｉ、Ｔｈ＿ｑｏｕｔ、Ｔｈ＿ｑｉｎの閾値は調整が必要であり、閾値判定には信号電力、雑音電力やその比のいずれかを用いて比較を行うものとする）。
【００３４】
同期状態判定部１６は、非同期状態（ｏｕｔ−ｏｆ−ｓｙｎ）の閾値（Ｔｈ＿ｑｏｕｔ）を下回った場合、非同期状態（ｏｕｔ−ｏｆ−ｓｙｎｃ）とし（図２ステップＳ８）、同期判定結果を上位レイヤへ通知する［同期判定結果を同期外れ（ｏｕｔ−ｏｆ−ｓｙｎｃ）とする］（図２ステップＳ９）。
【００３５】
同期状態判定部１６は、同期状態（ｉｎ−ｓｙｎｃ）の閾値（Ｔｈ＿ｑｉｎ）を上回った場合、同期状態（ｉｎ−ｓｙｎｃ）とし（図２ステップＳ８）、同期判定結果を上位レイヤへ通知する［同期判定結果を同期（ｉｎ−ｓｙｎｃ）とする］（図２ステップＳ１０）。
【００３６】
同期状態判定部１６は、非同期状態（ｏｕｔ−ｏｆ−ｓｙｎ）の閾値（Ｔｈ＿ｑｏｕｔ）を上回り、同期状態（ｉｎ−ｓｙｎｃ）の閾値（Ｔｈ＿ｑｉｎ）を下回った場合（通常Ｔｈ＿ｑｏｕｔとＴｈ＿ｑｉｎの関係は、その意味からＴｈ＿ｑｏｕｔ≦Ｔｈ＿ｑｉｎとして扱うものとする）、同期状態を維持（ｋｅｅｐ）し、ステップＳ４の処理で確認した同期状態を上位レイヤへ通知する［同期判定結果を継続（ｋｅｅｐ）とする］（図２ステップＳ１１）。
【００３７】
図３は図１に示す同期状態判定部１６にて同期状態（ｉｎ−ｓｙｎｃ）を判定する閾値を更新する処理を示すフローチャートである。これら図１及び図３を参照して同期状態判定部１６の更新処理について説明する。尚、図３に示す処理は、ＣＰＵがプログラムを実行することでも実現可能である。
【００３８】
同期状態判定部１６は、ｓｕｂｆｒａｍｅ周期で、ＰＤＣＣＨ復号部１４より制御情報（ＰＤＣＣＨ）のＣＲＣ結果とそのａｇｇｒｅｇａｔｉｏｎ  ｌｅｖｅｌとを入手し（図３ステップＳ２１）、ＰＣＦＩＣＨ復号部１３よりＯＦＤＭシンボル数を通知する信号（ＰＣＦＩＣＨ）のＢＥＲ結果を確認し（図３ステップＳ２２）、それらの結果を記録する（図３ステップＳ２３）。
【００３９】
同期状態判定部１６は、ｓｕｂｆｒａｍｅ周期の情報を指定区間（例えば、１ｆｒａｍｅ）累積し、平均化処理を行い、指定周期達成後にＢＥＲ精度判定処理へ移行する（図３ステップＳ２４）（非特許文献２参照）。
【００４０】
まず、同期状態判定部１６は、記録されたＢＥＲ結果とＣＲＣ結果とを比較し、ＢＥＲ結果の妥当性を確認する（図３ステップＳ２５）。具体的には、同期状態判定部１６は、閾値比較の結果、ＢＥＲ結果が悪いと判断された場合（ｏｕｔ−ｏｆ−ｓｙｎｃ判定）、制御情報（ＰＤＣＣＨ）のＣＲＣ結果でＮＧがでていること、反対にＢＥＲ結果が良いと判断された場合（ｉｎ−ｓｙｎｃ判定）に制御情報（ＰＤＣＣＨ）のＣＲＣ結果でＯＫがでていることを確認する。
【００４１】
同期状態判定部１６は、正しい判定をしている場合、ＢＥＲ判定の閾値Ｔｈ＿ｃｆｉの調整を行わずに処理を終える。
【００４２】
逆に、同期状態判定部１６は、誤った判定をしている場合、ＣＲＣ結果がＮＧの場合（ＢＥＲ結果がＴｈ＿ｃｆｉより低くｉｎ−ｓｙｎｃ判定をしている）と、ＣＲＣ結果がＯＫの場合（ＢＥＲ結果がＴｈ＿ｃｆｉより高くｏｕｔ−ｏｆ−ｓｙｎｃ判定をしている）とで条件判定を行う（図３ステップＳ２６）。
【００４３】
同期状態判定部１６は、ＣＲＣ結果がＮＧの場合、ＣＲＣ結果がＮＧにも関わらず、ＢＥＲ結果が同期状態（ｉｎ−ｓｙｎｃ）と判定していることになるため、判定閾値Ｔｈ＿ｃｆｉを規定値分下げる補正を行う（図３ステップＳ７）。
【００４４】
反対に、同期状態判定部１６は、ＣＲＣ結果がＯＫの場合、ＣＲＣ結果がＯＫにも関わらず、ＢＥＲ結果が非同期状態（ｏｕｔ−ｏｆ−ｓｙｎｃ）と判定していることになり、判定閾値Ｔｈ＿ｃｆｉを規定値分上げる補正を行うが、実際には、制御情報（ＰＤＣＣＨ）はａｇｇｒｅｇａｔｉｏｎ  ｌｅｖｅｌにより特性が異なるため、この値を考慮して判定する（図３ステップＳ２８）。
【００４５】
同期状態判定部１６は、ａｇｇｒｅｇａｔｉｏｎ  ｌｅｖｅｌが規定値よりも低い場合、符号化率が悪い状況であるため、判定閾値Ｔｈ＿ｃｆｉを上げる補正を行う（図３ステップＳ９）。
【００４６】
逆に、同期状態判定部１６は、ａｇｇｒｅｇａｔｉｏｎ  ｌｅｖｅｌが規定値以上の場合、制御情報（ＰＤＣＣＨ）の特性が良い状態での不一致であるため、閾値Ｔｈ＿ｃｆｉの調整を行わずに処理を終える。
【００４７】
以上の動作により、本実施の形態では、ＯＦＤＭシンボル数を通知する信号（ＰＣＦＩＣＨ）が正しく受信できていない状態で、受信電力等で同期状態（ｉｎ−ｓｙｎｃ）と判断してしまう状態を回避することが可能となる［同期状態を通知しつつ、制御情報（ＰＤＣＣＨ）が取れない状態の回避）。
【００４８】
このように、本実施の形態では、移動局（ＵＥ）１がＲＳの品質のみで同期状態を推定していた場合に、特定の環境下においてＯＦＤＭシンボル数を通知する信号（ＰＣＦＩＣＨ）が正しく受信できていない状況にも関わらず、ＲＳからの品質推定結果で同期状態（ｉｎ−ｓｙｎｃ）と判断してしまい、基地局（ｅＮＢ）との同期切断に不要な時間をかけてしまうことを、ＯＦＤＭシンボル数を通知する信号のＢＥＲを同期判定の条件として取り込むことで、回避することが可能となる。
【００４９】
尚、本発明では、図２のステップＳ１の処理とステップＳ２の処理とについての順序について制約はないものとする。ステップＳ２の処理を行ってからステップＳ１の処理を行うといった順序でもよい。
【００５０】
また、本発明では、図２のステップＳ３において指定周期の例として１ｆｒａｍｅとしているが、この指定周期に特に制約はないものとする（１ｓｕｂｆｒａｍｅ単位）。
【００５１】
さらに、本発明では、図２のステップＳ３にて信号電力・雑音電力について指定周期での平均化を実施するとしているが、忘却処理により過去の値を引き継ぐ形でもよい。忘却処理の係数についても、特に制約はないものとする。
【００５２】
さらにまた、本発明では、図２のステップＳ５，Ｓ６の処理にて閾値（Ｔｈ＿ｃｆｉ）の比較で同期状態（ｉｎ−ｓｙｎｃ）／非同期状態（ｏｕｔ−ｏｆ−ｓｙｎｃ）を判断しているが、ステップＳ７，Ｓ８の処理と同様に、閾値（Ｔｈ＿ｃｆｉ）の比較で同期状態（ｉｎ−ｓｙｎｃ）の判定閾値と非同期状態（ｏｕｔ−ｏｆ−ｓｙｎｃ）の判定閾値とをそれぞれ別に用意してもよいものとする。
【００５３】
本発明では、図２のステップＳ７の処理で実施する同期判定について受信信号でも、受信信号対雑音信号比のいずれでも良いものとする。
【００５４】
本発明では、図２のステップＳ６，Ｓ８の処理の条件判定の順序について制約はないものとする。ステップＳ８の判定処理の後に、ステップＳ６の判定処理を行うという順序でもよい。
【００５５】
続けて、本発明では、図３のステップＳ２１，Ｓ２２の処理についての順序について制約はないものとする。ステップＳ２２の処理を行ってからステップＳ２１の処理を行うという順序でもよい。
【００５６】
また、本発明では、図３のステップＳ２４において指定周期の例として１ｆｒａｍｅとしているが、この指定周期について特に制約はないものとする（１ｓｕｂｆｒａｍｅ単位）。
【００５７】
さらに、本発明では、図３のステップＳ２５においてＢＥＲとＣＲＣ結果とについて指定周期での平均化を実施するとしているが、忘却処理により過去の値を引き継ぐ形でもよい。忘却処理の係数についても、特に制約はないものとする。
【００５８】
さらにまた、本発明では、図３のステップＳ２７，Ｓ２９において規定値分閾値を更新しているが、その値は０〜１とする。
【産業上の利用可能性】
【００５９】
本発明は、携帯電話端末、ＬＴＥ受信端末等における同期状態の判定処理に適用することができる。
【符号の説明】
【００６０】
１  移動局（ＵＥ）
１１  復調部
１２  推定部
１３  ＰＣＦＩＣＨ復号部
１４  ＰＤＣＣＨ復号部
１５  ＰＤＳＣＨ復号部
１６  同期状態判定部
【図１】
2013243625.tif 000003
【図２】
2013243625.tif 000004
【図３】
2013243625.tif 000005